(57)【要約】【課題】音楽再生機能を有する携帯電話機でのステレオによる臨場感のある音楽再生とハンズフリーでありながら周囲の雑音などに影響を受けない明瞭な通話を実現できるリモコン付きステレオイヤホンマイクを提供する。【解決手段】耳の穴に差し込むカナル型の２つのイヤホン本体３，４の一方に直接マイクロホン１９を組み込み、周囲の雑音などを拾うことなく耳内に発生する音声のみを拾う。また、リモコン７に設けられているフックスイッチ５によって、２つのイヤホン用スピーカ１７のみを動作させるステレオイヤホンモードと、１つのマイクロホン１９を動作させ、かつ、マイクロホン１９が動作している方のイヤホン用スピーカ１７は動作させず、他方のイヤホン用スピーカ１７を動作させるイヤホンマイクモードとに切り替える。【選択図】  図１
2010147982.tif 000002
【特許請求の範囲】
【請求項１】
音楽再生機能を有する携帯電話機に接続し使用するリモコン付きステレオイヤホンマイクであって、耳の穴に差し込む型の２つのイヤホン本体の一方又は両方にマイクロホンを組み込み、リモコンに、２つのイヤホン用スピーカのみを動作させるステレオイヤホンモードと、１つのマイクロホンを動作させ、かつ、マイクロホンが動作している方のイヤホン用スピーカは動作させず、他方のイヤホン用スピーカを動作させるイヤホンマイクモードとに切り替える切替スイッチを設けたことを特徴とするリモコン付きステレオイヤホンマイク。
【請求項２】
２つのイヤホン本体の両方にマイクロホンを組み込む場合、リモコンに、イヤホンマイクモードに切り替えたときにどちらのイヤホン用スピーカを使用するかを選択するための選択スイッチを設けることを特徴とする請求項１に記載のリモコン付きステレオイヤホンマイク。
【請求項３】
リモコンに設けられているフックスイッチを切替スイッチとして兼用し、フックスイッチをオンにすることでステレオイヤホンモードにし、フックスイッチをオフにすることでイヤホンマイクモードにすることを特徴とする請求項１又は請求項２に記載のリモコン付きステレオイヤホンマイク。
【請求項４】
マイクロホンを組み込むイヤホン本体にさらに第２のマイクロホンを組み込み、第２のマイクロホンはそれを組み込むイヤホン本体を耳に装着したときに耳外の音を拾うことを特徴とする請求項１乃至請求項３の何れか１項に記載のリモコン付きステレオイヤホンマイク。
【発明の詳細な説明】
【技術分野】
【０００１】
本発明は、音楽再生機能を有する携帯電話機でのステレオによる臨場感のある音楽再生とハンズフリーでありながら周囲の雑音などに影響を受けない明瞭な通話を実現するリモコン付きステレオイヤホンマイクに関する。
【背景技術】
【０００２】
従来、リモコン付きステレオイヤホンマイクは２つのイヤホン本体と携帯電話機とを接続するケーブル上にフックスイッチを設けたリモコンがあり、そのリモコンにマイクロホンを搭載したものが主流である（特許文献１参照）。
【特許文献１】特開平５−９１５８４号公報
【発明の開示】
【発明が解決しようとする課題】
【０００３】
従来のリモコン付きステレオイヤホンマイクでは、通話時にマイクロホンが音声と一緒に周囲の雑音や風雑音を拾ってしまうとともに、衣服などがリモコンに擦れて雑音も入ってしまうため、相手方が聞き取りにくいという問題があった。
【０００４】
本発明は上記の問題に鑑みてなされたもので、リモコン付きステレオイヤホンに耳内に発生する音声のみを拾うようにマイクロホンを搭載してリモコン付きステレオイヤホンマイクとし、音楽再生機能を有する携帯電話機でのステレオによる臨場感のある音楽再生とハンズフリーでありながら周囲の雑音などに影響を受けない明瞭な通話を実現できるリモコン付きステレオイヤホンマイクを提供することを目的とする。
【課題を解決するための手段】
【０００５】
上記目的を達成するため本発明は、音楽再生機能を有する携帯電話機に接続し使用するリモコン付きステレオイヤホンマイクであって、耳の穴に差し込む型の２つのイヤホン本体の一方又は両方にマイクロホンを組み込み、リモコンに、２つのイヤホン用スピーカのみを動作させるステレオイヤホンモードと、１つのマイクロホンを動作させ、かつ、マイクロホンが動作している方のイヤホン用スピーカは動作させず、他方のイヤホン用スピーカを動作させるイヤホンマイクモードとに切り替える切替スイッチを設けたことを特徴とするものである。
【０００６】
上記構成を有する本発明において、２つのイヤホン本体の両方にマイクロホンを組み込む場合、リモコンに、イヤホンマイクモードに切り替えたときにどちらのイヤホン用スピーカを使用するかを選択するための選択スイッチを設けることが望ましい。また、リモコンに設けられているフックスイッチを切替スイッチとして使用し、フックスイッチをオン（オンフック／終話状態）にすることでステレオイヤホンモードにし、フックスイッチをオフ（オフフック／受話状態）にすることでイヤホンマイクモードにすることが望ましい。さらに、マイクロホンを組み込むイヤホン本体にさらに第２のマイクロホンを組み込み、第２のマイクロホンはそれを組み込むイヤホン本体を耳に装着したときに耳外の音を拾うことが望ましい。
【発明の効果】
【０００７】
上記本発明によれば、マイクロホンを直接イヤホン本体に組み込むから、イヤホンマイクモードに切り替えたときに周囲の雑音などを拾うことなく耳内に発生する音声のみを拾うことができるようになり、相手方が聞き取りやすくなる。こうして、音楽再生機能を有する携帯電話機でのステレオによる臨場感のある音楽再生とハンズフリーでありながら周囲の雑音などに影響を受けない明瞭な通話を実現できる。また、イヤホンマイクモードではマイクロホンが動作している方のイヤホン用スピーカは動作させず、他方のイヤホン用スピーカを動作させる（同じイヤホン本体に組み込んでいるイヤホン用スピーカとマイクロホンは同時に動作させない）から、エコーが発生せず、相手方がより聞き取りやすくなるとともに、複雑なエコーキャンセラー構造や回路が不要となる。こうして、コストを抑えながら、より明瞭な通話を実現できる。
【０００８】
２つのイヤホン本体の両方にマイクロホンを組み込む場合、リモコンに、イヤホンマイクモードに切り替えたときにどちらのイヤホン用スピーカを使用するかを選択するための選択スイッチを設けることにより、使用者の自由度が広がり、例えば携帯電話機のレシーバを当てる方の耳に装着されたイヤホン本体のイヤホン用スピーカを選択するなど使用者が使いやすいように設定できるようになる。こうして、イヤホンマイクとしての使い勝手の向上を図りながら、より明瞭な通話を実現できる。なお、例えば２つのイヤホン本体のケーブル長に差を付けるなど装着する耳が設定されている２つのイヤホン本体の一方にマイクロホンを組み込む場合、マイクロホンは左耳用のイヤホン本体（ケーブル長が短い方のイヤホン本体）に組み込むことにより、言語処理機能を有する左脳に相手側の音声をストレートに伝えることができるようになり、相手側の音声が聞き取りやすくなる。なぜならば、耳の聴覚神経は脳内で交差しており、左耳は右脳に、右耳は左脳につながっている。左耳から入った音声は右脳を経由して左脳の言語中枢に届き、右耳から入った音声はストレートに左脳の言語中枢に入る。右脳経由の情報処理は、左脳に直接インプットする場合よりも長く、１００分の１から２００分の１の時間差があり、外国語の習得や相手側の話しを正確に聞くには、右耳が利き耳である方が有利と言われているからである。こうして、スムーズな通話を実現できる。また、リモコンに設けられているフックスイッチを切替スイッチとして兼用し、フックスイッチをオン（オンフック）にすることでステレオイヤホンモードにし、フックスイッチをオフ（オフフック）にすることでイヤホンマイクモードにすることにより、専用の切替スイッチが不要となる。こうして、コストを抑え、使い勝手も向上しながら、より明瞭な通話を実現できる。さらに、マイクロホンを組み込むイヤホン本体にさらに第２のマイクロホンを組み込み、第２のマイクロホンはそれを組み込むイヤホン本体を耳に装着したときに耳外の音を拾うことにより、第２のマイクロホンを外部の騒音を拾ってノイズキャセル用として使用したり、外の音を拾い同じイヤホン本体に組み込んでいるイヤホン用スピーカとで補聴用として使用することができる。
【発明を実施するための最良の形態】
【０００９】
以下、本発明の実施の形態を図面を参照して説明する。
【００１０】
［実施の形態１］
図１は本発明の実施の形態１に係るリモコン付きステレオイヤホンマイクの全体図であり、図１において、１は音楽再生機能を有し所謂「音楽携帯」と呼ばれる携帯電話機、２は携帯電話機１に接続して使用するリモコン付きステレオイヤホンマイクである。リモコン付きステレオイヤホンマイク２は、一方の耳の穴（外耳道）に差し込んで使用するカナル型のイヤホン本体３および他方の耳の穴に差し込んで使用するカナル型のイヤホン本体４の２つと、フックスイッチ５およびボリューム６を設けたリモコン７と、携帯電話機１の側面に設けられている平型イヤホンジャック（図示省略）に抜き差し可能な平型イヤホンプラグ８とをケーブル９で接続して構成したもので、平型イヤホンプラグ８を平型イヤホンジャックに差し込むことで携帯電話機１と接続できるようになっている。
【００１１】
図２は一方のイヤホン本体３の断面図、図３は他方のイヤホン本体４の断面図であり、図２，図３に示すように、各イヤホン本体３，４は、上側に大径部１０を設け、耳の穴に差し込む下側の小径部１１の閉鎖端（底）に音孔１２を設けた段付きの有底円筒状のハウジング本体１３と、ハウジング本体１３の上部開口縁に下部開口縁を突き合わせて接合一体化しハウジング本体１３とで中空のハウジング１４を構成するとともに、ハウジング本体１３とは垂直な筒状のケーブル挿通部１５を設けたドーム状のカバー１６と、周縁部がハウジング本体１３の上部開口縁で支えられてハウジング本体１３の上部に嵌合され、放音面を下側の音孔１２に向けた状態でハウジング１４内に組み込まれるダイナミック型で円形のイヤホン用スピーカ１７と、ハウジング本体１３の小径部１１に外嵌し、イヤホン本体３，４の装着時にフィット感、耳内から外部への音漏れおよび外部から耳内への音の侵入を防止する遮音性を得るための弾性材料（例えばシリコンラバー）からなるイヤーピース（耳栓）１８とで構成されるカナル型のイヤホン構造を有している。
【００１２】
また、図３に示す一方のイヤホン本体４内には無指向性又は単一指向性のエレクトレットコンデンサ型のマイクロホン１９を１つ組み込むもので、そのマイクロホン１９を組み込む一方のイヤホン本体４は、ハウジング本体１３における大径部１０の周側壁の肉厚内に上面開放のマイク収納部２０を設けるとともに、音孔１２とイヤホン用スピーカ１７との間に形成されるハウジング本体１３と同心な主音道２１からイヤホン用スピーカ１７の直前で直角に分岐させて、マイク収納部２０を主音道２１に連通させる細い分岐音道２２を設けている。そして、マイクロホン１９は、マイク収納部２０に内向きで収納され、集音孔を分岐音道２１に対向させ、カバー１６で上から押さえられて、一方のイヤホン本体４内に組み込まれている。こうして、マイクロホン１９を直接一方のイヤホン本体４内に組み込むことで、使用者の口から出される音声や周囲の雑音など耳の外の音を拾うことなく使用者が声を出すときに耳内に発生する音声のみを拾うことができるように構成している。
【００１３】
さらに、リモコン７に、同じイヤホン本体４に組み込んでいるイヤホン用スピーカ１７とマイクロホン１９とを択一的に携帯電話機１に切り替え接続する切替スイッチを設けるのであるが、その切替スイッチをフックスイッチ５で兼用するもので、フックスイッチ５のオン（オンフック）時にイヤホン用スピーカ１７を携帯電話機１に接続し、フックスイッチ５のオフ（オフフック）時にマイクロホン１９を携帯電話機１に接続している。こうして、リモコン付きステレオイヤホンマイク２を、リモコン７に設けられているフックスイッチ５のオン／オフ（オンフック／オフフック）に連動して、２つのイヤホン用スピーカ１７のみを動作させるステレオイヤホンモードと、１つのマイクロホン１９を動作させ、かつ、マイクロホン１９が動作している方のイヤホン用スピーカ１７は動作させず、他方のイヤホン用スピーカ１７を動作させる（同じイヤホン本体４に組み込んでいるイヤホン用スピーカ１７とマイクロホン１９は同時に動作させない）イヤホンマイクモードとに切り替えるように構成している。
【００１４】
なお、フックスイッチ５は、それをオフ（オフフック）にすることで、携帯電話機１で電話をかけようとして相手方の電話番号を発信するときや携帯電話機１に着信があった場合に電話を受けるときに、携帯電話機１に設けられている発信スイッチの代わりに、リモコン７に内蔵の制御回路を介して携帯電話機１に内蔵の制御回路に対して発信・応答信号を出力し、オン（オンフック）にすることで、電話を切るときに携帯電話機１に設けられている終話スイッチの代わりに、リモコン７に内蔵の制御回路を介して携帯電話機１に対して終話信号を出力し、携帯電話機１をリモートコントロールするもので、リモコン付きステレオイヤホンマイク２のステレオイヤホンモードとイヤホンマイクモードの切り替えもリモコン７に内蔵の制御回路を介して行われる。リモコン７にはそのような制御回路の他、２つのイヤホン用スピーカ１７の音量をボリューム６操作に基づいて調整する音量調整回路、マイクロホン１９の周波数特性補正回路が組み込まれている。マイクロホン１９は耳内で発生した音声のみを拾うが、耳内では高域が減退する傾向にあり、それをマイクロホン１９で拾いそのまま相手方に伝えると聞き取りにくい面があるため、ハイパスフィルターとアンプからなる周波数特性補正回路を使用し、高域を持ち上げて明瞭度を上げるようにしている。ハイパスフィルターとアンプの代わりに、プログラムによって自由に調整ができる専用のイコライジング用ＩＣかららなる周波数特性補正回路を使用してもよい。
【００１５】
上記のように構成したリモコン付きステレオイヤホンマイク２は、それを携帯電話機１に接続し、例えばマイクロホン１９を組み込んでいないイヤホン本体３を右耳の穴に差し込んで装着するとともに、マイクロホン１９を組み込んでいるイヤホン本体４を左耳の穴に差し込んで装着した使用状態で、携帯電話機１の音楽再生機能を起動させると、携帯電話機１からそれに保存された音楽データなどが各イヤホン本体３，４に組み込んでいる２つのイヤホン用スピーカ１７に入力されて、そこで再生される。これにより、使用者は両耳で音楽を聴くことができる（ステレオイヤホンモード）。
【００１６】
また、音楽を聴いている際に着信があった場合、その着信中にフックスイッチ５をオフ（オフフック）にすることで、それを携帯電話機１に内蔵の制御部が確認し、割り込み処理として音楽再生を一時停止して電話機能を起動させるとともに、リモコン付きステレオイヤホンマイク２側ではステレオイヤホンモードからイヤホンマイクモードに切り替えられ、使用者の発声に伴って周囲の雑音などを拾うことなく左耳内に発生する音声のみがマイクロホン１９で拾われ、そこで電気信号に変換されて携帯電話機１に出力され、相手側の音声信号が携帯電話機１から右耳に装着したイヤホン本体３のイヤホン用スピーカ１７に入力されて、そこで再生される。これにより、使用者は右耳で相手側の音声を聞き取りながら、ハンズフリーで通話を行うことができる。
【００１７】
そして、フックスイッチ５をオン（オンフック）にして終話すると、音楽再生の一時停止が解除され、音楽再生が再開されるとともに、リモコン付きステレオイヤホンマイク２側ではイヤホンマイクモードからステレオイヤホンモードに戻される。これにより、使用者は再び両耳で音楽を聴くことができる。
【００１８】
以上、実施の形態１のリモコン付きステレオイヤホンマイク２は、音楽再生機能を有する携帯電話機１に接続し使用するリモコン付きステレオイヤホンマイクであって、耳の穴に差し込む型の２つのイヤホン本体３，４の一方にマイクロホン１９を組み込み、リモコン７に、２つのイヤホン用スピーカ１７のみを動作させるステレオイヤホンモードと、１つのマイクロホン１９を動作させ、かつ、マイクロホン１９が動作している方のイヤホン用スピーカ１７は動作させず、他方のイヤホン用スピーカ１７を動作させるイヤホンマイクモードとに切り替える切替スイッチ５を設けたもので、マイクロホン１９を直接一方のイヤホン本体４内に組み込むから、イヤホンマイクモードに切り替えたときに周囲の雑音などを拾うことなく耳内に発生する音声のみを拾うことができるようになり、相手側が聞き取りやすくなる。こうして、音楽再生機能を有する携帯電話機１でのステレオによる臨場感のある音楽再生とハンズフリーでありながら周囲の雑音などに影響を受けない明瞭な通話を実現している。また、イヤホンマイクモードではマイクロホン１９が動作している方のイヤホン用スピーカ１７は動作させず、他方のイヤホン用スピーカ１７を動作させる（同じイヤホン本体４に組み込んでいるイヤホン用スピーカ１７とマイクロホン１９は同時に動作させない）から、エコーが発生せず、相手側がより聞き取りやすくなるとともに、複雑なエコーキャンセラー構造や回路が不要となる。こうして、コストを抑えながら、より明瞭な通話を実現している。さらに、リモコン７に設けられているフックスイッチ５を切替スイッチとして兼用し、フックスイッチ５をオン（オンフック）にすることでステレオイヤホンモードにし、フックスイッチ５をオフ（オフフック）にすることでイヤホンマイクモードにすることにより、専用の切替スイッチが不要となる。こうして、コストを抑え、使い勝手も向上しながら、より明瞭な通話を実現している。
【００１９】
また、実施の形態１のリモコン付きステレオイヤホンマイク２では、耳の穴に差し込む型の２つのイヤホン本体３，４の一方にマイクロホン１９を組み込んでいるが、例えば２つのイヤホン本体３，４のケーブル長（リモコン７とイヤホン本体３，４との間のケーブル長）に差を付けて、２つのイヤホン本体３，４の装着する耳を設定した場合、マイクロホン１９は左耳用のイヤホン本体（ケーブル長が短い方のイヤホン本体）に組み込むことにより、右耳用のイヤホン本体（ケーブル長が長い方のイヤホン本体）のイヤホン用スピーカ１７によって、言語処理機能を有する左脳に相手側の音声をストレートに伝えることができるようになり、相手側の音声が聞き取りやすくなる。こうして、スムーズな通話を実現できる。
【００２０】
［実施の形態２］
図４は本発明の実施の形態２に係るリモコン付きステレオイヤホンマイクの全体図である。なお、図４に示す実施の形態２のリモコン付きステレオイヤホンマイク２３において、図１に示した実施の形態１のリモコン付きステレオイヤホンマイク２と同じ部分は同じ符号を付してその説明を省略する。
【００２１】
図４に示す実施の形態２のリモコン付きステレオイヤホンマイク２３は、それに設ける２つのイヤホン本体の両方に図３に示したイヤホン本体４を使用し、音楽再生機能を有する携帯電話機１に接続し使用するリモコン付きステレオイヤホンマイクであって、耳の穴に差し込む型の２つのイヤホン本体４，４の両方にマイクロホン１９を組み込み、リモコン７に、２つのイヤホン用スピーカ１７のみを動作させるステレオイヤホンモードと、１つのマイクロホン１９を動作させ、かつ、マイクロホン１９が動作している方のイヤホン用スピーカ１７は動作させず、他方のイヤホン用スピーカ１７を動作させるイヤホンマイクモードとに切り替える切替スイッチ５と、イヤホンマイクモードに切り替えたときにどちらのイヤホン用スピーカ１７を使用するかを選択するための選択スイッチ２４を設け、また、リモコン７に設けられているフックスイッチ５を切替スイッチとして兼用し、フックスイッチ５をオン（オンフック）にすることでステレオイヤホンモードにし、フックスイッチ５をオフ（オフフック）にすることでイヤホンマイクモードにするものである。
【００２２】
ここで、実施の形態２のリモコン付きステレオイヤホンマイク２３では、同じイヤホン本体４に組み込んでいない１つのイヤホン用スピーカ１７および１つのマイクロホン１９の組が２組存在し、選択スイッチ２４は、フックスイッチ５のオフ（オフフック）時に２組のうちのどちらか１組を択一的に携帯電話機１に切り替え接続するものである。
【００２３】
上記のように構成したリモコン付きステレオイヤホンマイク２３では、音楽を聴いている際に着信があり、フックスイッチ５をオフ（オフフック）にしてステレオイヤホンモードからイヤホンマイクモードに切り替えたとき、携帯電話機１のレシーバを当てない利き耳でない方の例えば右耳に装着されたイヤホン本体４のイヤホン用スピーカ１７で相手側の音声が再生され、使用者が違和感を感じたとしても、選択スイッチ２４により利き耳の左耳に装着されたイヤホン本体４のイヤホン用スピーカ１７を選択することで、直ちに、左耳に装着されたイヤホン本体４のイヤホン用スピーカ１７で相手側の音声が再生され、使用者は利き耳の左耳で違和感なく相手側の音声を聞き取りながら、ハンズフリーで通話を行うことができる。
【００２４】
以上、実施の形態２のリモコン付きステレオイヤホンマイク２３は、２つのイヤホン本体４，４の両方にマイクロホン１９を組み込み、リモコン７に、イヤホンマイクモードに切り替えたときにどちらのイヤホン用スピーカを使用するかを選択するための選択スイッチ２４を設けることにより、使用者の自由度が広がり、例えば携帯電話機のレシーバを当てる方の耳に装着されたイヤホン本体４のイヤホン用スピーカ１７を選択するなど使用者が使いやすいように設定できるようになる。こうして、イヤホンマイクとしての使い勝手の向上を図りながら、より明瞭な通話を実現している。
【００２５】
［実施の形態３］
上記実施の形態１、２のリモコン付きステレオイヤホンマイク２、３における、マイクロホン１９を１つ組み込んだイヤホン本体４に代えて、図５に示すようなマイクロホンを２つ組み込んだイヤホン本体２５を使用し、実施の形態３のリモコン付きステレオイヤホンマイクを構成している。図５において、図３に示したイヤホン本体４と同じ部分には同じ符号を付してその説明を省略する。図５に示すイヤホン本体２５は、マイク収納部２０と点対称の位置に第２のマイク収納部２６を設けるとともに、そのマイク収納部２６をイヤホン本体２５の外部に連通させる第２の音孔２７を設け、無指向性又は単一指向性のエレクトレットコンデンサ型の第２のマイクロホン２８を第２のマイク収納部２６に外向きで収納し、集音孔を第２の音孔２７に対向させ、カバー１６で上から押さえ、イヤホン本体２５内に２つのマイクロホン１９，２８を組み込んでいる。そして、第２のマイクロホン２８は、外部の騒音を拾ってノイズキャセル用として使用したり、外の音を拾い同じイヤホン本体２５に組み込んでいるイヤホン用スピーカ１７とで補聴用として使用することができる。
【００２６】
以上、実施の形態１乃至３は本発明の好適な実施の形態を携帯電話機１に有線で接続するカナル型のもので説明したが、本発明はそれに限定されることなく、その要旨を逸脱しない範囲内で種々変形実施することができる。
【００２７】
例えば、リモコン付きステレオイヤホンマイクと携帯電話機との有線接続用の平型イヤホンプラグに代えて、丸型イヤホンプラグ（Φ３．５ｍｍのステレオミニプラグ）を設け、携帯電話機の平型イヤホンジャックには変換アダプタを介して接続し、携帯オーディオ機器に接続して使用できるようにしてもよい。また、リモコン付きステレオイヤホンマイクと携帯電話機との接続は、２．４ＧＨｚや３．１〜１０．６ＧＨｚ帯の電波を使用する近距離無線通信で行ってもよい。この場合、平型や丸型のプラグ、それとリモコンとの間のケーブルの代わりに、無線接続用の送受信回路やバッテリがリモコン内に設けられる。また、カナル型のイヤホン本体に代えて、カナル型よりも浅く耳の穴に差し込んで使用するインナーイヤー型のイヤホン本体を使用してもよい。
【図面の簡単な説明】
【００２８】
【図１】本発明の実施の形態１に係るリモコン付きステレオイヤホンマイクの全体図である。
【図２】本発明の実施の形態１に係るリモコン付きステレオイヤホンマイクのマイクロホンを組み込んでいない一方のイヤホン本体の断面図である。
【図３】本発明の実施の形態１に係るリモコン付きステレオイヤホンマイクのマイクロホンを組み込んでいる他方のイヤホン本体の断面図である。
【図４】本発明の実施の形態２に係るリモコン付きステレオイヤホンマイクの全体図である。
【図５】本発明の実施の形態３に係るリモコン付きステレオイヤホンマイクのマイクロホンを組み込んでいるイヤホン本体の断面図である。
【符号の説明】
【００２９】
１  携帯電話機
２，２３  リモコン付きステレオイヤホンマイク
５  フックスイッチ（切替スイッチ）
７  リモコン
１７  イヤホン用スピーカ
１９  マイクロホン
２４  選択スイッチ
２８  第２のマイクロホン
【図１】
2010147982.tif 000003
【図２】
2010147982.tif 000004
【図３】
2010147982.tif 000005
【図４】
2010147982.tif 000006
【図５】
2010147982.tif 000007